(57)【要約】【課題】樹脂ウインドウを簡易な構造で十分かつ確実に支持することができ、精度良く円滑に昇降させることができる車両用樹脂ウインドウの支持構造を提供すること。【解決手段】樹脂ウインドウ２は、板状の本体部２１と、本体部２１の後端部において、本体部２１の厚み方向に突出し、本体部２１と一体的に成形されたギヤ突片部２３を有する。ギヤ突片部２３は、その側面の一部が樹脂ウインドウ２の昇降を案内するギヤ側ガイドフレーム４に囲まれている。ギヤ突片部２３には、ドライブギヤに噛合する噛合ギヤ２４が上下方向に設けられていると共に、ギヤ側ガイドフレーム４の内側面に当接する位置決め部材２５が上下端部にそれぞれ設けられている。樹脂ウインドウ２は、ドライブギヤを回動させることにより、位置決め部材２５をギヤ側ガイドフレーム４の内側面に対して摺動させ、ギヤ側ガイドフレーム４に沿って昇降できるよう構成されている。【選択図】図４
2010100250.tif 000002
【特許請求の範囲】
【請求項１】
車両用の樹脂ウインドウを昇降可能に支持する車両用樹脂ウインドウの支持構造であって、
上記樹脂ウインドウは、板状の本体部と、該本体部の側端部のいずれか一方において、該本体部の厚み方向に突出し、該本体部と一体的に成形されたギヤ突片部とを有し、
該ギヤ突片部は、その側面の少なくとも一部が上記樹脂ウインドウの昇降を案内するギヤ側ガイドフレームに囲まれており、
上記ギヤ突片部には、回動手段によって回動可能なドライブギヤに噛合する噛合ギヤが上下方向に設けられていると共に、上記ギヤ側ガイドフレームの内側面に当接する位置決め部材が少なくとも上下端部にそれぞれ設けられており、
上記回動手段によって上記ドライブギヤを回動させることにより、上記位置決め部材を上記ギヤ側ガイドフレームの内側面に対して摺動させ、上記樹脂ウインドウを上記ギヤ側ガイドフレームに沿って昇降させることができるよう構成されていることを特徴とする車両用樹脂ウインドウの支持構造。
【請求項２】
請求項１において、上記位置決め部材は、上記ギヤ突片部における上記位置決め部材が設けられていない部分よりも大径に設けられたシュー部材であることを特徴とする車両用樹脂ウインドウの支持構造。
【請求項３】
請求項１において、上記位置決め部材は、上記ギヤ突片部における上記位置決め部材が設けられていない部分よりも上記ガイドフレーム側に突出したローラ回転部を有するローラ部材であり、
該ローラ部材は、上記ローラ回転部を回転させながら上記ギヤ側ガイドフレームの内側面に対して摺動することを特徴とする車両用樹脂ウインドウの支持構造。
【請求項４】
請求項１〜３のいずれか１項において、上記ギヤ側ガイドフレームの内側面の少なくとも一部には、上記樹脂ウインドウの昇降を案内するガラスランが設けられていることを特徴とする車両用樹脂ウインドウの支持構造。
【請求項５】
請求項１〜４のいずれか１項において、上記樹脂ウインドウは、上記本体部の側端部のうちの上記ギヤ突片部が設けられていない他方の側端部において、上記本体部の厚み方向に突出し、該本体部と一体的に成形された他方突片部を有していることを特徴とする車両用樹脂ウインドウの支持構造。
【請求項６】
請求項５において、上記他方突片部は、その側面の少なくとも一部が上記樹脂ウインドウの昇降を案内する他方側ガイドフレームに囲まれていると共に、該他方側ガイドフレームとの間に隙間を有していることを特徴とする車両用樹脂ウインドウの支持構造。
【請求項７】
請求項１〜６のいずれか１項において、上記ギヤ突片部は、上記噛合ギヤに噛合する上記ドライブギヤと該ドライブギヤに対向して設けられたサポート部材とにより挟持されていることを特徴とする車両用樹脂ウインドウの支持構造。
【請求項８】
請求項１〜７のいずれか１項において、上記噛合ギヤは、上記ギヤ突片部における上記樹脂ウインドウの側端側の側面に設けられており、
上記樹脂ウインドウには、上記噛合ギヤにおける上記ギヤ突片部の突出側とは反対側の側面を覆うと共に上記噛合ギヤと一体的に成形された壁部が設けられていることを特徴とする車両用樹脂ウインドウの支持構造。
【請求項９】
請求項１〜７のいずれか１項において、上記噛合ギヤは、上記ギヤ突片部における該ギヤ突片部の突出側の側面に設けられていることを特徴とする車両用樹脂ウインドウの支持構造。
【発明の詳細な説明】
【技術分野】
【０００１】
本発明は、車両用の樹脂ウインドウを昇降可能に支持する車両用樹脂ウインドウの支持構造に関する。
【背景技術】
【０００２】
従来から、ガラス等からなる車両用のウインドウを昇降可能に支持する支持構造が知られている。
例えば、ウインドウの側端部には、回動手段により回動可能なドライブギヤに噛合する噛合ギヤを有する樹脂等のラック部材が取り付けられている。そして、ウインドウは、回動手段によってドライブギヤを回動させることにより、ラック部材を介してガイドフレームに沿って昇降させることができるよう構成されている。
このようなウインドウの支持構造として、特許文献１には、ウインドウの側端部の両方又は一方に樹脂製のラック部材を取り付けたものが開示されている。
【０００３】
【特許文献１】実開昭６０−１５０２９１号公報
【発明の開示】
【発明が解決しようとする課題】
【０００４】
しかしながら、従来の構造では、以下の問題が生じていた。
すなわち、ウインドウの側端部の両方にラック部材を設けた場合には、両噛合ギヤの噛み合わせ位相がずれることにより、ウインドウの昇降不良が生じることがあった。また、構成部品が多くなることで、コスト、質量、スペース等の点で問題となっていた。
【０００５】
一方、ウインドウの側端部の一方にラック部材を設けた場合には、ウインドウが剛性の低い材質であると、ラック部材を設けていない側がガイドフレームより外れ易くなるという問題が生じていた。また、ウインドウの自重、昇降抵抗、外部からの荷重等によってウインドウが傾こうとした際に、ラック部材を設けた側のガイドフレームに荷重が集中し、ウインドウの昇降不良が生じることがあった。
【０００６】
本発明は、かかる従来の問題点に鑑みてなされたもので、樹脂ウインドウを簡易な構造で十分かつ確実に支持することができ、精度良く円滑に昇降させることができる車両用樹脂ウインドウの支持構造を提供しようとするものである。
【課題を解決するための手段】
【０００７】
本発明は、車両用の樹脂ウインドウを昇降可能に支持する車両用樹脂ウインドウの支持構造であって、
上記樹脂ウインドウは、板状の本体部と、該本体部の側端部のいずれか一方において、該本体部の厚み方向に突出し、該本体部と一体的に形成されたギヤ突片部とを有し、
該ギヤ突片部は、その側面の少なくとも一部が上記樹脂ウインドウの昇降を案内するギヤ側ガイドフレームに囲まれており、
上記ギヤ突片部には、回動手段によって回動可能なドライブギヤに噛合する噛合ギヤが上下方向に設けられていると共に、上記ギヤ側ガイドフレームの内側面に当接する位置決め部材が少なくとも上下端部にそれぞれ設けられており、
上記回動手段によって上記ドライブギヤを回動させることにより、上記位置決め部材を上記ギヤ側ガイドフレームの内側面に対して摺動させ、上記樹脂ウインドウを上記ギヤ側ガイドフレームに沿って昇降させることができるよう構成されていることを特徴とする車両用樹脂ウインドウの支持構造にある（請求項１）。
【０００８】
本発明において、上記樹脂ウインドウは、板状の上記本体部と、該本体部の側端部のいずれか一方において、該本体部の厚み方向に突出する上記ギヤ突片部とを有し、上記本体部と上記ギヤ突片部とを一体的に成形して構成されている。すなわち、上記樹脂ウインドウは、上記本体部に上記ギヤ突片部を設けて一体的に成形したことにより、厚み方向の剛性（張り剛性）を高めることができる。
そのため、ガラス等よりも剛性の小さい樹脂からなるものの、必要な剛性を十分に確保することができる。これにより、昇降時における上記樹脂ウインドウのたわみ等を抑制することができ、該樹脂ウインドウの上記ギヤ側ガイドフレームからの外れ等を防止することができる。そして、上記樹脂ウインドウを円滑に昇降させることができる。
【０００９】
また、上記樹脂ウインドウは、樹脂の成形性を生かして、上記本体部と上記噛合ギヤが設けられた上記ギヤ突片部とを一体的に成形して構成されている。すなわち、上記樹脂ウインドウは、従来のように噛合ギヤを設けた部材をウインドウに取り付ける構成ではなく、これらを一体的に構成している。
そのため、別部材とすることによって生じていた問題、例えば接合不良、接合部の擦れ音の発生、異材質で構成した場合の熱膨張率の差による影響等を解消することができる。また、部品点数を減らして簡易な構造とすることができるため、低コスト化、軽量化を図ることができる。また、樹脂製の上記樹脂ウインドウは、ガラス等に比べて割れ難く、さらに軽量化を容易に図ることができるという効果もある。
【００１０】
また、上記樹脂ウインドウの上記ギヤ突片部には、上記ギヤ側ガイドフレームの内側面に当接する上記位置決め部材が少なくとも上下端部にそれぞれ設けられている（上端部及び下端部のそれぞれにおいて、上記位置決め部材が端部付近を含む部分に設けられている）。そして、上記樹脂ウインドウは、上記位置決め部材を上記ギヤ側ガイドフレームの内側面に対して摺動させ、該ギヤ側ガイドフレームに沿って昇降できるよう構成されている。
そのため、昇降時における上記樹脂ウインドウの位置や姿勢を、上記ギヤ側ガイドフレームの内側面に当接して摺動する上記位置決め部材によって保持することができる。これにより、上記樹脂ウインドウの自重、昇降抵抗、外部からの荷重等によって生じる上記樹脂ウインドウの傾きを抑制し、それに伴う昇降不良を防止することができる。そして、上記樹脂ウインドウを精度良く円滑に昇降させることができる。
【００１１】
また、上記樹脂ウインドウは、側端部の一方に上記噛合ギヤを設け、該噛合ギヤを設けた一方の側のみで昇降時における位置や姿勢を保持している。ここで、上記樹脂ウインドウは、上記のごとく、上記本体部に上記ギヤ突片部を設けて一体的に成形したことによって厚み方向の剛性（張り剛性）を高めたものとなっている。
そのため、上記樹脂ウインドウは、一方の側のみで昇降時における位置や姿勢を十分に保持することができ、上記の効果を確実に得ることができる。また、上記樹脂ウインドウは、側端部の一方に上記噛合ギヤを設けているため、両方に設けた場合に比べて簡易な構造とすることができ、また噛み合わせ位相のずれ、それに伴う昇降不良等の問題が生じるおそれもない。
【００１２】
このように、本発明によれば、樹脂ウインドウを簡易な構造で十分かつ確実に支持することができ、精度良く円滑に昇降させることができる車両用樹脂ウインドウの支持構造を提供することができる。
【発明を実施するための最良の形態】
【００１３】
本発明において、上述のごとく、上記ギヤ側ガイドフレームは、上記ギヤ突片部の側面の少なくとも一部を囲うように設けられている。
例えば、上記樹脂ウインドウを車両前後方向に配設し、上記ギヤ突片部を車内側に突出形成した場合、上記ギヤ側ガイドフレームは、上記ギヤ突片部における車両の前方側、後方側及び車外側を囲うように設けることができる（後述する実施例１の図４参照）。もちろん、上記ギヤ側ガイドフレームは、上記以外の構成とすることもできる。
【００１４】
また、上述のごとく、上記ギヤ突片部には、上記ギヤ側ガイドフレームの内側面に当接する上記位置決め部材が少なくとも上下端部にそれぞれ設けられている。
ここで、上記ギヤ側ガイドフレームの内側面とは、上記ギヤ側ガイドフレーム自身の内側面はもちろんのこと、例えば後述するような上記ギヤ側ガイドフレームの内側面に配設されたガラスラン等の表面をも含む概念である。
【００１５】
また、上記位置決め部材は、上記ギヤ突片部における上記位置決め部材が設けられていない部分よりも大径に設けられたシュー部材とすることができる（請求項２）。
この場合には、上記位置決め部材をシュー部材とすることにより、上記樹脂ウインドウの位置や姿勢を十分に保持することがでる。また、上記位置決め部材を他の部分よりも大径とすることにより、上記ギヤ突片部に設けられた上記噛合ギヤと上記ギヤ側ガイドフレームとの干渉を防止することができる。これらにより、上記樹脂ウインドウの昇降をより精度良く円滑に行うことができる。
【００１６】
また、上記シュー部材は、上記ギヤ突片部と一体的に形成されていることが好ましい。この場合には、部品点数を減らすことができ、低コスト化を図ることができる。
また、上記シュー部材は、その外周面を曲面形状（ラウンド形状）とすることもできる。この場合には、上記シュー部材と上記ギヤ側ガイドフレームとの当接状態が不十分であり、上記樹脂ウインドウに振れ等が生じても、上記シュー部材の外周面が曲面形状であることによって上記ギヤ側ガイドフレームの内側面に対する当接部分を確保し、摺動性を維持することができる。これにより、上記樹脂ウインドウの昇降を円滑に行うことができる。
【００１７】
また、上記位置決め部材は、上記ギヤ突片部における上記位置決め部材が設けられていない部分よりも上記ガイドフレーム側に突出したローラ回転部を有するローラ部材であり、該ローラ部材は、上記ローラ回転部を回転させながら上記ギヤ側ガイドフレームの内側面に対して摺動することが好ましい（請求項３）。
この場合には、上記位置決め部材をローラ部材とすることにより、上記ギヤ側ガイドフレームの内側面に対する摺動性を向上させることができる。また、摺動させる上記ローラ回転部を他の部分よりも上記ギヤ側ガイドフレーム側に突出させることにより、上記ギヤ突片部に設けられた上記噛合ギヤと上記ギヤ側ガイドフレームとの干渉を防止することができる。これらにより、上記樹脂ウインドウの昇降をより精度良く円滑に行うことができる。
【００１８】
また、上記ギヤ側ガイドフレームの内側面の少なくとも一部には、上記樹脂ウインドウの昇降を案内するガラスランが設けられている構成とすることができる（請求項４）。
この場合には、上記位置決め部材を、上記ギヤ側ガイドフレームの内側面、すなわち上記ギヤ側ガイドフレーム又は該ギヤ側ガイドフレームの内側面に配設された上記ガラスランに対して摺動させることができる。そのため、上記樹脂ウインドウを簡易な構造で十分かつ確実に支持することができ、精度良く円滑に昇降させることができるという本発明の効果が十分に得られる。また、上記ガラスランを設定することにより、上記樹脂ウインドウと上記ギヤ側ガイドフレームとの間をシールすることができる。
なお、上記ガラスランは、後述する他方側ガイドフレームの内側面に設けることもできる。これにより、上記樹脂ウインドウと他方側ガイドフレームとの間をシールすることができる。
【００１９】
また、上記樹脂ウインドウは、上記本体部の側端部のうちの上記ギヤ突片部が設けられていない他方の側端部において、上記本体部の厚み方向に突出し、該本体部と一体的に成形された他方突片部を有していることが好ましい（請求項５）。
この場合には、上記他方突片部を設けることにより、上記樹脂ウインドウの剛性をさらに高めることができる。これにより、昇降時における上記樹脂ウインドウのたわみ等を抑制し、上記ギヤ側ガイドフレームからの外れ等を防止するという効果をより一層発揮することができる。
【００２０】
また、上記他方突片部は、その側面の少なくとも一部が上記樹脂ウインドウの昇降を案内する他方側ガイドフレームに囲まれていると共に、該他方側ガイドフレームとの間に隙間を有していることが好ましい（請求項６）。
この場合には、上記樹脂ウインドウが熱によって伸縮しても、上記他方突片部と上記他方側ガイドフレームとは、両者の間に隙間を確保しているため、干渉することがない。これにより、上記樹脂ウインドウの昇降を常に円滑に行うことができる。
【００２１】
また、上記隙間の大きさや位置は、上記樹脂ウインドウの熱による伸縮を考慮して設定することが好ましい。ここで、熱による伸縮は、上記樹脂ウインドウの厚み方向よりも長さ方向に大きくなる。そのため、上記隙間は、特に上記樹脂ウインドウの長さ方向の伸縮を考慮して設定することが好ましい。
例えば、上記樹脂ウインドウを車両前後方向に配設し、上記ギヤ突片部を車内側に突出形成した場合、上記隙間は、少なくとも上記他方突片部における車両の前方側及び後方側に形成しておくことが好ましい。もちろん、上記隙間は、上記以外の位置に形成しておくこともできる。
【００２２】
また、上記ギヤ突片部は、上記噛合ギヤに噛合する上記ドライブギヤと該ドライブギヤに対向して設けられたサポート部材とにより挟持されていることが好ましい（請求項７）。
この場合には、上記ドライブギヤと上記サポート部材との水平方向の距離を保持することにより、上記ドライブギヤと上記噛合ギヤとの水平方向の距離を保持することができ、両者の噛合を安定させることができる。これにより、上記樹脂ウインドウの位置や姿勢をさらに十分に保持することができ、上記樹脂ウインドウの昇降をより一層円滑に行うことができる。
【００２３】
また、上記サポート部材としては、一般的なシュー部材やローラ部材を採用することができる。このとき、上記サポート部材は、上記ギヤ突片部に対して摺動性の良いものが好ましい。
また、上記サポート部材は、１つだけ設けることもできるし、複数設けることもできる。
【００２４】
また、上記噛合ギヤは、上記ギヤ突片部における上記樹脂ウインドウの側端側の側面に設けられており、上記樹脂ウインドウには、上記噛合ギヤにおける上記ギヤ突片部の突出側とは反対側の側面を覆うと共に上記噛合ギヤと一体的に成形された壁部が設けられている構成とすることができる（請求項８）。
この場合には、上記壁部を設けることにより、上記ギヤ突片部の特に上記噛合ギヤ部分の強度を高めることができる。また、上記噛合ギヤ部分の強度を維持しながら、該噛合ギヤの小型化を図ることもできる。また、上記噛合ギヤの小型化を図ることにより、上記ギヤ突片部を囲う上記ギヤ側ガイドフレームの小型化を図ることができる。
【００２５】
また、上記壁部を設けることにより、上記噛合ギヤの一方の側面において該噛合ギヤが露出しない。そのため、例えば、上記樹脂ウインドウと上記ギヤ側ガイドフレームとの間に両者の間をシールして水の浸入等を防ぐリップ部材等を設ける場合、通常は上記噛合ギヤが露出している部分をシール面として利用することができない。しかしながら、上記噛合ギヤの一方の側面を上記壁部によって覆うことにより、該壁部をシール面として利用することができる。これにより、上記ギヤ側ガイドフレームの小型化が可能となる場合がある（後述の実施例２の図９参照）。
【００２６】
また、上記噛合ギヤは、上記ギヤ突片部における該ギヤ突片部の突出側の側面に設けられている構成とすることもできる（請求項９）。
この場合には、上記噛合ギヤに噛合する上記ドライブギヤを上記ギヤ突片部の突出側、すなわち上記樹脂ウインドウの厚み方向の一方側に配設することができる。そのため、上記樹脂ウインドウの長さ方向の小型化（コンパクト化）が可能となる。また、上記ドライブギヤを回動させる回動手段を上記ギヤ突片部の突出側に配設すれば、さらなる小型化を図ることができる。
【００２７】
また、上記樹脂ウインドウは、異なる二種類の樹脂を用いて二色成形によって構成することができる。
例えば、透明性の必要な上記本体部等の部分には、透明性の樹脂を用い、透明性が必要でなく強度が必要な上記ギヤ突片部等の部分には、ガラスファイバー（ＧＦ）やカーボンファイバー（ＣＦ）等の補強材を添加した樹脂や耐薬品性の強い材料を添加した樹脂を用い、これらを二色成形によって成形して上記樹脂ウインドウを構成することができる。
この場合には、強度の必要な上記ギヤ突片部を効率よく強化することができる。また、上記ギヤ突片部の強度を維持しながら、該ギヤ突片部の小型化を図ることもできる。また、上記ギヤ突片部の小型化を図ることにより、上記ギヤ突片部を囲う上記ギヤ側ガイドフレームの小型化を図ることができる。
【実施例】
【００２８】
（実施例１）
実施例にかかる本発明の車両用樹脂ウインドウの支持構造について説明する。
本例は、図１に示すごとく、車両用の側面のドア８において、樹脂ウインドウ２を昇降可能に支持する支持構造１に関するものである。
なお、「前後」、「上下」、「内外」等の方向、位置を表す言葉は、ドア８に樹脂ウインドウ２を取り付けた状態における方向、位置等を表している。
【００２９】
図１〜図５に示すごとく、本例の支持構造１において、樹脂ウインドウ２は、四角形板状の本体部２１と、本体部２１の側端部の一方において、本体部２１の厚み方向に突出し、本体部２１と一体的に成形されたギヤ突片部２３を有している。
ギヤ突片部２３は、その側面の一部が樹脂ウインドウ２の昇降を案内するギヤ側ガイドフレーム４に囲まれている。
【００３０】
同図に示すごとく、ギヤ突片部２３には、モータ（回動手段）８３によって回動可能なドライブギヤ８４に噛合する噛合ギヤ２４が上下方向に設けられていると共に、ギヤ側ガイドフレーム４の内側面に当接する位置決め部材２５が上下端部にそれぞれ設けられている。
そして、樹脂ウインドウ２は、モータ８３によってドライブギヤ８４を回動させることにより、位置決め部材２５をギヤ側ガイドフレーム４の内側面に対して摺動させ、ギヤ側ガイドフレーム４に沿って昇降できるよう構成されている。
以下、これを詳説する。
【００３１】
図１に示すごとく、車両用のドア８は、インナパネル（図示略）とアウタパネル８２とにより構成されている。アウタパネル８２の前端部には、他方側ガイドフレーム３が配設されており、後端部には、ギヤ側ガイドフレーム４が配設されている。他方側ガイドフレーム３とギヤ側ガイドフレーム４とは、上下方向に並設されている。また、他方側ガイドフレーム３とギヤ側ガイドフレーム４との間には、樹脂ウインドウ２が内挿されている。すなわち、樹脂ウインドウ２は、車両前後方向に配設されている。
【００３２】
また、同図に示すごとく、ギヤ側ガイドフレーム４の後方側には、モータ８３とそのモータ８３によって回動するドライブギヤ８４とが配設されている。また、ギヤ側ガイドフレーム４には、ドライブギヤ８４が配設されている付近に開口部４０が形成されており、その開口部４０から内挿されている樹脂ウインドウ２の一部が露出した状態となっている。
【００３３】
図２に示すごとく、樹脂ウインドウ２は、板状の本体部２１と、本体部２１の前端部及び後端部において本体部２１の内表面２１１から車内側に突出した他方突片部２２及びギヤ突片部２３とにより構成されている。樹脂ウインドウ２は、本体部２１と他方突片部２２とギヤ突片部２３とを一体的に成形して構成されており、水平方向の断面において「コ」の字状を呈している。なお、本例の樹脂ウインドウ２は、ポリカーボネート樹脂からなる。
【００３４】
また、同図に示すごとく、ギヤ突片部２３の外側面２３１の後方側の面（後述する後方側外側面２３１ｃ）には、ドライブギヤ８４に噛合する噛合ギヤ２４が上下方向に設けられている。本例では、図１に示すごとく、噛合ギヤ２４は、ギヤ側ガイドフレーム４の開口部４０においてドライブギヤ８４と噛合している。
また、ギヤ突片部２３の上端部及び下端部には、ギヤ側ガイドフレーム４の内側面（後述するフレーム部４１の内側面４１１）に当接する位置決め部材２５が設けられている。位置決め部材２５は、ギヤ突片部２３における位置決め部材２５が設けられていないその他の部分よりも外方に突出し、大径に設けられている。また、位置決め部材２５は、ギヤ突片部２３と一体的に成形されている。なお、本例では、位置決め部材２５として、シュー部材を採用している。
【００３５】
また、図３に示すごとく、樹脂ウインドウ２において、他方突片部２２は、他方突片部２２の外側面２２１及び本体部２１の外表面２１２の一部を囲うように設けられた他方側ガイドフレーム３のフレーム部３１内に内挿されている。他方突片部２２は、他方側ガイドフレーム３のフレーム部３１との間に隙間３９を有している。本例では、他方突片部２２における前方側、後方側、車内側及び車外側に隙間３９が形成されている。
【００３６】
また、同図に示すごとく、ギヤ突片部２３は、ギヤ突片部２３の外側面２３１及び本体部２１の外表面２１２の一部を囲うように設けられたギヤ側ガイドフレーム４のフレーム部４１内に内挿されている。ここで、ギヤ突片部２３の側面（外側面２３１）とは、前方側外側面２３１ａ、後方側外側面２３１ｃ、車内側外側面２３１ｂ及び車外側外側面２３１ｄである。ギヤ突片部２２は、フレーム部４１との間に隙間４９を有している。本例では、ギヤ突片部２３における前方側、後方側、車内側及び車外側に隙間４９が形成されている。
【００３７】
また、図４に示すごとく、ギヤ突片部２３における位置決め部材２５を設けた部分については、位置決め部材２５をフレーム部４１の内側面４１１に当接させている。
また、図３、図４に示すごとく、本体部２１の外表面２１２とフレーム部４１の内側面４１１との間には、両者の間をシールして水の浸入等を防止するリップ部材４２が設けられている。
【００３８】
そして、図５に示すごとく、樹脂ウインドウ２は、モータ８３によってドライブギヤ８４をギヤ突片部２３の噛合ギヤ２４に対して回動させることにより、上下方向に昇降できるよう構成されている。すなわち、樹脂ウインドウ２は、ギヤ突片部２３のシュー部材２５をギヤ側ガイドフレーム４のフレーム部４１の内側面４１１に対して摺動させ、他方側ガイドフレーム３及びギヤ側ガイドフレーム４に沿って昇降することができる。
【００３９】
次に、本例の支持構造１における作用効果について説明する。
本例において、図２に示すごとく、樹脂ウインドウ２は、板状の本体部２１と、本体部２１の後端部において、本体部２１の厚み方向に突出するギヤ突片部２３とを有し、本体部２１とギヤ突片部２３とを一体的に成形して構成されている。すなわち、樹脂ウインドウ２は、本体部２１にギヤ突片部２３を設けて一体的に成形したことにより、厚み方向の剛性（張り剛性）を高めることができる。
そのため、ガラス等よりも剛性の小さい樹脂からなるものの、必要な剛性を十分に確保することができる。これにより、昇降時における樹脂ウインドウ２のたわみ等を抑制することができ、樹脂ウインドウ２の他方側ガイドフレーム３及びギヤ側ガイドフレーム４からの外れ等を防止することができる。そして、樹脂ウインドウ２を円滑に昇降させることができる。
【００４０】
また、図２に示すごとく、樹脂ウインドウ２は、樹脂の成形性を生かして、本体部２１と噛合ギヤ２４が設けられたギヤ突片部２３とを一体的に成形して構成されている。すなわち、樹脂ウインドウ２は、従来のように噛合ギヤを設けた部材をウインドウに取り付ける構成ではなく、それらを一体的に構成している。
そのため、別部材とすることによって生じていた問題、例えば接合不良、接合部の擦れ音の発生、異材質で構成した場合の熱膨張率の差による影響等を解消することができる。また、部品点数を減らして簡易な構造とすることができ、低コスト化、軽量化を図ることができる。また、樹脂製の樹脂ウインドウ２は、ガラス等に比べて割れ難く、さらに軽量化を容易に図ることができるという効果もある。
【００４１】
また、図４、図５に示すごとく、樹脂ウインドウ２のギヤ突片部２３には、ギヤ側ガイドフレーム４のフレーム部４１の内側面４１１に当接する位置決め部材２５が上下端部にそれぞれ設けられている。そして、樹脂ウインドウ２は、位置決め部材２５をギヤ側ガイドフレーム４のフレーム部４１の内側面４１１に対して摺動させながら、ギヤ側ガイドフレーム４に沿って昇降できるよう構成されている。
そのため、昇降時における樹脂ウインドウ２の位置や姿勢を、ガイドフレーム４のフレーム部４１の内側面４１１に当接して摺動する位置決め部材２５によって保持することができる。これにより、樹脂ウインドウ２の自重、昇降抵抗、外部からの荷重等による樹脂ウインドウ２の傾きを抑制し、それに伴う昇降不良を防止することができる。そして、樹脂ウインドウ２を精度良く円滑に昇降させることができる。
【００４２】
また、図５に示すごとく、樹脂ウインドウ２は、側端部の一方（後端部）に噛合ギヤ２４を設け、噛合ギヤ２４を設けた一方の側のみで昇降時における位置や姿勢を保持している。ここで、樹脂ウインドウ２は、ギヤ突片部２３を設けて一体的に成形したことによって厚み方向の剛性（張り剛性）を高めたものとなっている。
そのため、樹脂ウインドウ２は、一方の側のみで昇降時における位置や姿勢を十分に保持することができ、上記の効果を確実に得ることができる。また、樹脂ウインドウ２は、側端部の一方（後端部）に噛合ギヤ２４を設けているため、両方に設けた場合に比べて簡易な構造とすることができ、また噛み合わせ位相のずれ、それに伴う昇降不良等の問題が生じるおそれもない。
【００４３】
また、本例において、図２、図４、図５に示すごとく、位置決め部材２５は、ギヤ突片部２３における位置決め部材２５が設けられていない部分よりも大径に設けられたシュー部材である。位置決め部材２５としてシュー部材を採用することにより、樹脂ウインドウ２の位置や姿勢を十分に保持することがでる。また、位置決め部材２５を他の部分よりも大径とすることにより、ギヤ突片部２３に設けられた噛合ギヤ２４とギヤ側ガイドフレーム４との干渉を防止することができる。これらにより、樹脂ウインドウ２の昇降をより精度良く円滑に行うことができる。
また、位置決め部材２５は、ギヤ突片部２３と一体的に形成されている。そのため、部品点数を減らすことができ、低コスト化を図ることができる。
【００４４】
また、図３に示すごとく、樹脂ウインドウ２は、本体部２１の側端部のうちのギヤ突片部２３が設けられていない他方の側端部（前端部）において、本体部２１の厚み方向に突出し、本体部２１と一体的に成形された他方突片部２２を有している。他方突片部２２を設けることにより、樹脂ウインドウ２の剛性をさらに高めることができる。これにより、昇降時における樹脂ウインドウ２のたわみ等を抑制し、ギヤ側ガイドフレーム４からの外れ等を防止するという効果をより一層発揮することができる。
【００４５】
また、同図に示すごとく、他方突片部２２は、その外側面２２１の一部が樹脂ウインドウ２の昇降を案内する他方側ガイドフレーム３に囲まれていると共に、他方側ガイドフレーム３との間に隙間３９を有している。そのため、樹脂ウインドウ２が熱によって伸縮しても、他方突片部２２と他方側ガイドフレーム３とは、両者の間に隙間３９を確保しているため、干渉することがない。これにより、樹脂ウインドウ２の昇降を常に円滑に行うことができる。なお、隙間３９の大きさは、樹脂ウインドウ２の熱による伸縮を考慮して設定すればよい。
【００４６】
このように、本例によれば、樹脂ウインドウ２を簡易な構造で十分かつ確実に支持することができ、精度良く円滑に昇降させることができる車両用樹脂ウインドウの支持構造１を提供することができる。
【００４７】
なお、本例では、位置決め部材２５としてシュー部材を用いたが、ギヤ側ガイドフレーム４のフレーム部４１の内側面４１１に対して回転しながら摺動するローラ回転部を有するローラ部材等を用いることもできる。例えば、位置決め部材２５をローラ部材とすることにより、ガイドフレーム４のフレーム部４１の内側面４１１に対する摺動性を向上させることができる。これにより、樹脂ウインドウ２の昇降を精度良く円滑に行うことができる。
【００４８】
また、図６（ａ）、（ｂ）に示すごとく、ギヤ突片部２３は、噛合ギヤ２４に噛合するドライブギヤ８４とドライブギヤ８４に対向して設けられたサポート部材８５とにより挟持されている構成としてもよい。この場合には、例えば、図示しないブラケットにドライブギヤ８４とサポート部材８５とを設け、両者の水平方向の距離を保持することにより、ドライブギヤ８４と噛合ギヤ２４との水平方向の距離を保持することができ、両者の噛合を安定させることができる。これにより、樹脂ウインドウ２の位置や姿勢をさらに十分に保持することができ、樹脂ウインドウ２の昇降をより一層円滑に行うことができる。
【００４９】
また、サポート部材８５としては、一般的なシュー部材やローラ部材を採用することができる。このとき、サポート部材８５は、ギヤ突片部２３に対して摺動性の良いものが好ましい。また、サポート部材８５は、１つだけ設けることもできるし、複数設けることもできる。
【００５０】
また、図７に示すごとく、樹脂ウインドウ２は、異なる二種類の樹脂を用いて二色成形によって構成してもよい。
例えば、透明性の必要な本体部２１等の部分には、何も添加しておらず、透明性の樹脂であるポリカーボネート樹脂を用い、透明性が必要でなく強度が必要なギヤ突片部２３等の部分には、ガラスファイバー（ＧＦ）やカーボンファイバー（ＣＦ）等の補強材を添加したポリカーボネート樹脂や、ポリエチレンテレフタレート（ＰＥＴ）樹脂、アクリルニトリル・ブタジエン・スチレン（ＡＢＳ）樹脂等の耐薬品性の強い材料を添加したポリカーボネート樹脂を用い、これらを二色成形によって成形して樹脂ウインドウ２を構成してもよい。
これにより、強度の必要なギヤ突片部２３を効率よく強化することができる。また、ギヤ突片部２３の強度を維持しながら、ギヤ突片部２３の小型化を図ることもできる。また、ギヤ突片部２３の小型化を図ることにより、ギヤ突片部２３を囲うギヤ側ガイドフレーム４の小型化を図ることができる。
【００５１】
（実施例２）
本例は、樹脂ウインドウ２のギヤ突片部２３の構成を変更した例である。
本例では、図８、図９に示すごとく、噛合ギヤ２４は、ギヤ突片部２３の後方側外側面２３１ｃに設けられている。そして、樹脂ウインドウ２には、噛合ギヤ２４におけるギヤ突片部２３の突出側（車内側）とは反対側の車外側外側面２４１を覆うと共に噛合ギヤ２４と一体的に成形された壁部２６が設けられている。
その他は、実施例１と同様の構成である。
【００５２】
本例の場合には、壁部２６を設けることにより、ギヤ突片部２３の特に噛合ギヤ２４部分の強度を高めることができる。また、噛合ギヤ２４部分の強度を維持しながら、噛合ギヤ２４の小型化を図ることもできる。また、噛合ギヤ２４の小型化を図ることにより、ギヤ突片部２３を囲うギヤ側ガイドフレーム４の小型化を図ることができる。
【００５３】
また、壁部２６を設けることにより、噛合ギヤ２４の車外側外側面２４１において噛合ギヤ２４が露出しない。そのため、壁部２６をリップ部材４２のシール面として利用することができる。これにより、図９に示すごとく、噛合ギヤ２４が露出していた実施例１の図３、図４に比べて、リップ部材４２の配設位置をフレーム部４１の内方へ移動させることができる。そして、ギヤ側ガイドフレーム４の小型化をさらに図ることができる。
その他は、実施例１と同様の作用効果を有する。
【００５４】
（実施例３）
本例は、樹脂ウインドウ２のギヤ突片部２３の構成を変更した例である。
本例では、図１０、図１１に示すごとく、噛合ギヤ２４は、ギヤ突片部２３における突出側の側面、すなわちギヤ突片部２３の車内側外側面２３１ｂに設けられている。噛合ギヤ２４は、ギヤ突片部２３の後方側外側面２３１ｃには露出しないように設けられている。また、位置決め部材２５は、ギヤ突片部２３の前方側外側面２３１ａ及び車内側外側面２３１ｂに設けられている。
【００５５】
また、同図に示すごとく、ギヤ側ガイドフレーム４のフレーム部４１の内側面４１１には、樹脂ウインドウ２の昇降を案内するガラスラン４３が設けられている。ガラスラン４３は、ギヤ突片部２３の後方側外側面２３１ｃ及び車外側外側面２３１ｄを覆うように設けられている。
その他は、実施例１と同様の構成である。
【００５６】
本例の場合には、図示を省略したが、例えば、噛合ギヤ２４に噛合するドライブギヤ８４やドライブギヤ８４を回動させるモータ８３等をギヤ突片部２３の突出側、すなわち車内側に配設することができる。そのため、実施例１の図１のような構成に比べて、樹脂ウインドウ２の長さ方向の小型化（コンパクト化）が可能となる。
【００５７】
また、位置決め部材２５を、ギヤ側ガイドフレーム４の内側面、すなわちフレーム部４１の内側面４１１又はフレーム部４１の内側面４１１に配設されたガラスラン４３に対して摺動させることができる。そのため、樹脂ウインドウ２を簡易な構造で十分かつ確実に支持することができ、精度良く円滑に昇降させることができるという効果が十分に得られる。また、ガラスラン４３を設定することにより、樹脂ウインドウ２とギヤ側ガイドフレーム４との間をシールすることができる。
その他は、実施例１と同様の作用効果を有する。
【図面の簡単な説明】
【００５８】
【図１】実施例１における、樹脂ウインドウの支持構造を示す説明図。
【図２】実施例１における、樹脂ウインドウの全体を示す斜視図。
【図３】図１におけるＡ−Ａ断面図。
【図４】図１におけるＢ−Ｂ断面図。
【図５】実施例１における、樹脂ウインドウの昇降を示す説明図。
【図６】実施例１における、（ａ）サポート部材の配設位置を示す説明図、（ｂ）（ａ）におけるＣ−Ｃ断面図。
【図７】実施例１における、二色成形した樹脂ウインドウの例を示す説明図。
【図８】実施例２における、壁部を設けたギヤ突片部の例を示す説明図。
【図９】実施例２における、ギヤ突片部とギヤ側ガイドフレームとの関係を示す断面図。
【図１０】実施例３における、噛合ギヤをギヤ突片部の車内側外側面に設けた例を示す説明図。
【図１１】実施例３における、ギヤ突片部とギヤ側ガイドフレームとの関係を示す断面図。
【符号の説明】
【００５９】
２  樹脂ウインドウ
２１  本体部
２３  ギヤ突片部
２４  噛合ギヤ
２５  位置決め部材
４  ギヤ側ガイドフレーム
【図１】
2010100250.tif 000003
【図２】
2010100250.tif 000004
【図３】
2010100250.tif 000005
【図４】
2010100250.tif 000006
【図５】
2010100250.tif 000007
【図６】
2010100250.tif 000008
【図７】
2010100250.tif 000009
【図８】
2010100250.tif 000010
【図９】
2010100250.tif 000011
【図１０】
2010100250.tif 000012
【図１１】
2010100250.tif 000013